(57)【要約】【課題】テープが金型の内部や、テープガイドの内部に詰まることがないテープ送り機構を備えたテープ切断圧着装置を提供する。【解決手段】テープ（６）が内部を走行可能なテープガイド（７）と、テープガイド（７）に対して位置が固定され、テープガイド（７）内のテープ（６）の保持および解放を交互に行う固定クランプ（８）と、テープ（６）の送り方向に離れた少なくとも３箇所の位置で停止可能で、それぞれの位置の間を移動可能で、かつ、テープガイド（７）内のテープ（６）の保持および解放を交互に行う移動クランプ（９）とにより構成されるテープ送り機構、および、所定のテープ送り量だけ、送り出されたテープ（６）を切断する金型を備える。【選択図】  図１
2005011985.tif 000002
【特許請求の範囲】
【請求項１】
テープが内部を走行可能なテープガイドと、該テープガイドに対して位置が固定され、テープガイド内のテープの保持および解放を交互に行う固定クランプと、テープの送り方向に離れた少なくとも３箇所の位置で停止可能で、それぞれの位置の間を移動可能で、かつ、テープガイド内のテープの保持および解放を交互に行う移動クランプとにより構成されるテープ送り機構、および、所定のテープ送り量だけ、送り出されたテープを切断する金型を備え、（Ｉ）テープを移動クランプが保持し、（ＩＩ）移動クランプが、テープの送り方向と反対側に後退移動していったん停止し、（ＩＩＩ）移動クランプが、後退した移動量と所定のテープ送り量とを加えた距離だけ、テープ送り方向に前進移動し、（ＩＶ）金型が、送り出されたテープを切断し、（Ｖ）テープを固定クランプが保持し、（ＶＩ）テープを移動クランプが解放し、（ＶＩＩ）移動クランプが、元の位置に移動することにより、熱によって粘着性の生じるテープを一定長のカットテープに切断することを特徴とするテープ切断圧着装置。
【発明の詳細な説明】
【０００１】
【発明の属する技術分野】
本発明は、テープ切断圧着装置に関し、特に、スクラップレスと呼ばれるテープ切断方式を用いたテープ切断圧着装置に関する。
【０００２】
【従来の技術】
近年、半導体リードフレームは形状が複雑多様化し、リードフレームまたはプラスチック基板上に、耐熱性を有し、かつ熱伸縮性を有しない絶縁テープを介して、ＩＣチップを搭載させている。
【０００３】
また、従来から行われているプレス加工またはエッチング加工などの製造時に生じたリードの上下段差を抑えるためのテープ貼着も、引き続き必要である。使用するテープは、帯状をしていて、厚さは薄いものでは２０μｍ程度である。
【０００４】
図２に、このようなテープ貼着をする場合に使用するテープ切断圧着装置を、断面図で示した。このようなテープ切断圧着装置は、例えば特開平１１−１０５９８号に記載されている。板状のリードフレームまたはプラスチック基板（３）の直上へ、熱により粘着性を生じるテープ（６）を送り、ダイ（２）とパンチ（１）とからなる金型によって、図３に示すように、帯状のテープ（６）を所定の形状のカットテープ（１０）に打ち抜くと共に、切断されたカットテープ（１０）を、ヒーター（５）で加熱されたリードフレームまたはプラスチック基板（３）の上に、圧着させて貼着する。
【０００５】
図４に、従来のテープ切断圧着装置のテープ送り機構を連続した拡大断面図で示した。
【０００６】
このテープ切断圧着装置により、予め、製品寸法に合致する幅に仕上げられたテープ（６）の先端部分を、必要な長さに切断する。このテープ切断方式は、基本的に材料ロスが生じないために、スクラップレスと呼ばれており、特に、最近のテープ（６）の高品質化に伴う高価格化に対し、コストダウンを図ることを可能とする有効な手段として、広く行われようとしている。
【０００７】
スクラップレスを行うテープ送り機構としては、製品寸法に合致しうるテープ（６）の送り精度が要求される。そのため、従来のテープ送り機構は、テープガイド（７）と、位置が固定され、テープ（６）の保持と解放を交互に行う固定クランプ（８）と、テープ送り方向に離れた２点間の間を移動可能で、かつ、テープ（６）の保持と解放を交互に行う移動クランプ（９）とにより構成される。移動クランプ（９）の移動距離は、テープの製品寸法に合致する。
【０００８】
テープ送り機構の動作を、図４に示した連続した拡大断面図により、説明する。
【０００９】
先ず、図４（ａ）のように、ガイドレール（７）の中のテープ（６）は、固定クランプ（８）により保持される。
【００１０】
次に、図４（ｂ）のように、移動クランプ（９）が、テープ（６）を解放した状態で、テープ（６）の送り方向と反対側の位置に後退してから、テープ（６）を保持する。その後、固定クランプ（８）が、テープ（６）を解放する。
【００１１】
次に、図４（ｃ）のように、移動クランプ（９）が、テープの製品形状に合致する距離だけテープ（６）の送り方向に前進する。従って、テープ（６）は、該距離だけ送られることになる。
【００１２】
最後に、図４（ｄ）のように、パンチ（１）とダイ（２）で構成される金型によって、送り出されたテープ（６）の先端部分を切断する。切断後は、固定クランプ（８）がテープ（６）を保持して、移動クランプ（９）がテープ（６）を解放して、元の状態に戻る。
【００１３】
以上の動作を繰り返し行うことにより、テープ（６）の送りと切断を連続的に行う。
【００１４】
しかしながら、使用するテープによっては、常温であっても粘着性を生じ易いものがあり、このようなテープの切断の際には、テープの先端が金型の切刃の部分に貼り付く現象が生じる事がある。さらに、テープの厚さが薄く、剛性がなく、極めて柔らかいために、図５に拡大断面図を示したように、テープ（６）を送り出そうとしても、テープ先端の張り付きが外れず、金型の内部や、テープガイド（７）の内部で、折れ曲がりながら詰まってしまい、テープ（６）を送ることができなくなるという不具合が生じた。
【００１５】
【特許文献１】
特開平１１−１０５９８号
【００１６】
【発明が解決しようとする課題】
本発明は、テープが金型の内部や、テープガイドの内部に詰まることがないテープ送り機構を備えたテープ切断圧着装置を提供することを目的とする。
【００１７】
【課題を解決するための手段】
前記問題を解決するために、本発明のテープ切断圧着装置は、テープが内部を走行可能なテープガイドと、該テープガイドに対して位置が固定され、テープガイド内のテープの保持および解放を交互に行う固定クランプと、テープの送り方向に離れた少なくとも３箇所の位置で停止可能で、それぞれの位置の間を移動可能で、かつ、テープガイド内のテープの保持および解放を交互に行う移動クランプとにより構成されるテープ送り機構、および、所定のテープ送り量だけ、送り出されたテープを切断する金型を備え、（Ｉ）テープを移動クランプが保持し、（ＩＩ）移動クランプが、テープの送り方向と反対側に後退移動していったん停止し、（ＩＩＩ）移動クランプが、後退した移動量と所定のテープ送り量とを加えた距離だけ、テープ送り方向に前進移動し、（ＩＶ）金型が、送り出されたテープを切断し、（Ｖ）テープを固定クランプが保持し、（ＶＩ）テープを移動クランプが解放し、（ＶＩＩ）移動クランプが、元の位置に移動することにより、熱によって粘着性の生じるテープを一定長のカットテープに切断する。
【００１８】
【発明の実施の形態】
本発明の一実施例のテープ切断圧着装置を、連続した拡大断面図で示した図１により説明する。テープ切断圧着装置の他の部分は、従来のテープ切断圧着装置を断面図で示した図２と同様である。
【００１９】
本発明のテープ切断圧着装置は、テープ（６）が内部を走行可能なテープガイド（７）と、該テープガイド（７）に対して位置が固定され、テープガイド（７）内のテープ（６）の保持および解放を交互に行う固定クランプ（８）と、テープ（６）の送り方向に離れた少なくとも３箇所の位置で停止可能で、それぞれの位置の間を移動可能で、かつ、テープガイド（７）内のテープ（６）の保持および解放を交互に行う移動クランプ（９）とにより構成されるテープ送り機構、および、所定のテープ送り量だけ、送り出されたテープ（６）を切断するダイ（２）とパンチ（１）とからなる金型を備える。
【００２０】
テープガイド（７）は、テープ（６）との摩擦抵抗を減らす目的で、高精度に表面を加工されており、テープ（６）を上下に極力短い間隙で挟むように設置される。
【００２１】
固定クランプ（８）および移動クランプ（９）は、例えばエアシリンダなどを動力にして開閉可能な２つの把持部分から構成される。把持部分は、テープとの摩擦力が高く、かつ、テープを痛めない材質からなる。
【００２２】
さらに、移動クランプ（９）は、例えばパルスモーターなどによりテープ（６）の送り方向に移動可能とし、テープガイド（７）に対して、テープ（６）の送り方向に離れた少なくとも３箇所の位置で停止可能であり、かつ、それぞれの位置の間を移動可能とする。
【００２３】
ダイ（２）とパンチ（１）とからなる金型は、テープ（６）の材質や、処理速度などにより選定される。
【００２４】
次に、本発明のテープ切断圧着装置により、熱によって粘着性の生じるテープを一定長のカットテープに切断する動作について説明する。
【００２５】
（Ｉ）図１（ａ）に示した状態から、図１（ｂ）に示した状態に移動してから、テープ（６）を移動クランプ（９）が保持する。
【００２６】
（ＩＩ）図１（ｃ）に示したように、移動クランプ（９）が、テープ（６）の送り方向と反対側に後退移動していったん停止する。この後退移動により、テープ先端の張り付きを外すことができる。また、テープ（６）の先端は、金型から後退する。
【００２７】
（ＩＩＩ）図１（ｄ）に示したように、移動クランプ（９）が、後退した移動量と所定のテープ送り量とを加えた距離だけ、テープ送り方向に前進移動する。従って、所定のテープ送り量だけ、テープ（６）は、金型内に送り出されることになる。
【００２８】
（ＩＶ）さらに、ダイ（２）とパンチ（１）とからなる金型が、送り出されたテープ（６）を切断する。切断されたカットテープは、図２に示されたように、従来と同様、ヒーター（５）で加熱されているリードフレームまたはプラスチック基板（３）の上に、圧着させて貼着する。
【００２９】
（Ｖ）さらに、テープ（６）を固定クランプ（８）が保持する。この状態では、移動クランプ（９）および固定クランプ（８）によりテープ（６）が保持される。
【００３０】
（ＶＩ）さらに、テープ（６）を移動クランプ（９）が解放する。この状態では、固定クランプ（８）によりテープ（６）が保持され、図１（ｅ）に示した状態になる。その後、パンチ（１）が元の位置に戻って、図１（ａ）に示した状態に戻る。
【００３１】
（ＶＩＩ）最後に、移動クランプ（９）が、元の位置に移動する。
【００３２】
以上の動作を繰り返し行うことにより、テープ（６）の送りと切断を連続的に行う。
【００３３】
【発明の効果】
以上のように、本発明により、使用するテープの厚さが薄く、切断される際に金型に張り付き易い性質のテープであっても、正確かつ安定的にテープを送り出せるテープ送り機構を備えたテープ切断圧着装置を提供することが可能となり、生産性を一段と向上させることが可能である。
【図面の簡単な説明】
【図１】本発明の一実施例のテープ切断圧着装置を示す連続した拡大断面図である。
【図２】従来のテープ切断圧着装置を示した断面図である。
【図３】スクラップレスと呼ばれるテープ切断方式を示すテープの平面図である。
【図４】従来のテープ切断圧着装置を示す連続した拡大断面図である。
【図５】従来のテープ切断圧着装置で生じる不具合を示した拡大断面図である。
【符号の説明】
１  パンチ
２  ダイ
３  リードフレームまたはプラスチック基板
４  リードフレームまたはプラスチック基板のガイドレール
５  ヒーター
６  テープ
７  テープガイド
８  固定クランプ
９  移動クランプ
１０  カットテープ
【図１】
2005011985.tif 000003
【図２】
2005011985.tif 000004
【図３】
2005011985.tif 000005
【図４】
2005011985.tif 000006
【図５】
2005011985.tif 000007